(57)【特許請求の範囲】
【請求項１】
文字列、画像、位置情報、メールもしくはその一部、スケジュール情報の何れかを含む日記情報の入力の記録を指示するための記録指示手段と、
前記記録指示手段により前記日記情報の記録が指示された際、前記日記情報が入力されたときの現在時刻を示す時刻情報を前記日記情報に含めて記録する日記記録手段と、を有し、
前記日記情報は時系列に沿って表示され、
前記記録指示手段は、画像が撮像された際に撮像された画像の記録を指示可能とし、
前記日記記録手段は、
前記記録指示手段により画像の記録が指示された際、撮像された画像をリンクとして表示するように、前記日記情報が記憶される場所とは別の場所に記録することを特徴とする携帯電話機。
【請求項２】
前記日記記録手段は、前記記録指示手段により画像の記録が指示された際、この撮像された画像を現在時刻または撮像時刻を示す時刻情報と対応付けて日記情報として記録する請求項１記載の携帯電話機。
【請求項３】
前記日記記録手段は、日記情報として記録する際に、基地局から位置情報を受信してこの位置情報を併せて記録する請求項１または２記載の携帯電話機。
【請求項４】
前記記録指示手段は、メールを受信した際にもこの受信したメールの記録を指示可能とし、
前記日記記録手段は、前記記録指示手段により受信したメールの記録が指示された際、この受信したメールもしくはその一部を、現在時刻または受信時刻を示す時刻情報と対応付けて日記情報として記録する請求項１記載の携帯電話機。
【請求項５】
時刻情報とこの時刻に行うべきスケジュールとが対応付けられたスケジュール情報を記憶するスケジュール情報記憶手段を備え、
前記記録指示手段は、前記スケジュール情報を表示した際にもこのスケジュール情報の記録を指示可能とし、
前記日記記録手段は、前記記録指示手段によりスケジュール情報の記録が指示された際、このスケジュール情報を日記情報として記録する請求項１記載の携帯電話機。
【請求項６】
前記日記記録手段に記録されている日記情報の表示を指示するための表示指示手段と、
前記表示指示手段により日記情報の表示が指示された際、この日記情報を表示する日記
表示手段とを備えた請求項１記載の携帯電話機。
【発明の詳細な説明】
【技術分野】
【０００１】
本発明は、入力された文字列や撮像された画像、録音された音声、現在位置情報、登録されているスケジュール情報、または受信されたメール情報等を用いて簡単に日記を作成できる携帯端末に関する。
【背景技術】
【０００２】
近年、Ｗｅｂ日記やＷｅｂ掲示板、ブログ等を作成するためのシステムが充実しつつあり、ユーザは、携帯電話機やＰＣを用いて簡単に電子的な日記が作成できるようになってきている。例えば特許文献１には、電波の届かないところでも旅行ガイドや行動支援を可能にし得る旅行ガイドシステムについて記載されている。これは、主として携帯電話機を電子旅行ガイドブックとして使用するもので、Ｗｅｂサーバから旅行の日程、旅行（訪問）先の情報を予めダウンロードしておくことにより、携帯電話機の電波が届かないところでもユーザが旅行情報を閲覧することができる。またユーザは、この旅行情報を用いて旅行日記を作成することができる。
【０００３】
この携帯電話機では、旅行の日程、旅行（訪問）先等の情報に基づいて日記作成用のデータを作成し、これらのデータをＷｅｂサーバに送信する。すなわち、携帯電話機でユーザが旅行終了後に所定の操作をすると、日程情報、そして日程情報に関連付けられた訪問先情報、画像ＩＤ、画像データ、撮影時刻情報、訪問先タイトル、コメント、送受信した電子メールといった情報がＷｅｂサーバに送信される。Ｗｅｂサーバは、これらの情報から、日時別及び／又は訪問地別に画像ＩＤ、画像データ、撮影時刻、訪問先タイトル、コメント、電子メールの内容等を編集することで、日記情報を作成する。ユーザは、独自のＰＣにＷｅｂサーバからこれらの日記情報をダウンロードし、日記を作成するために印刷したり編集したりする。
【特許文献１】特開２００５−２７５９２４号公報
【発明の開示】
【発明が解決しようとする課題】
【０００４】
日記データを携帯電話機からＷｅｂサーバに随時送信しておくことによって、ＰＣが手元にない状態において日記作成用のデータを作成し、後日、ＰＣによりＷｅｂサーバから日記作成用のデータを取得することにより、ＰＣを用いて日記を編集することができる。しかしながら、このように携帯電話機からＷｅｂサーバに日記データを送信する方法では、ＰＣを使用できない状態にある時には日記の編集が行えないという問題があった。また、ＰＣを保有していない者はそもそもこの方法を用いることができないという問題もあった。
【０００５】
また、携帯電話機からＷｅｂサーバに日記データを送信する方法では、日記データが主にＷｅｂサーバ上に記憶されているので、日記の編集をするためにはＰＣをネットワークに接続しなければならないという問題もある。従って、この方法は、ＰＣを頻繁に使用できない場合、ＰＣがネットワークに接続できない環境にある場合等には適していない。
【０００６】
さらに、携帯電話機からＷｅｂサーバに日記データを送信する方法では、送信される日記データがＷｅｂサーバによって指定されるフォーマットに従っている必要があるため、ユーザが携帯電話機を用いて簡単に日記を作成したり編集したりすることが困難であるという問題もあった。
【０００７】
本発明は、上記課題を鑑みなされてものであり、入力された文字列や撮像された画像、録音された音声、現在位置情報、登録されているスケジュール情報、または受信されたメール情報等を用いて、ユーザがフォーマットを意識せずに、簡単に日記を作成することができる携帯端末を提供することを目的とする。
【課題を解決するための手段】
【０００８】
上記課題を解決するために、本発明に係る携帯電話機は、文字列、画像、位置情報、メールもしくはその一部、スケジュール情報の何れかを含む日記情報の入力の記録を指示するための記録指示手段と、前記記録指示手段により前記日記情報の記録が指示された際、前記日記情報が入力されたときの現在時刻を示す時刻情報を前記日記情報に含めて記録する日記記録手段と、を有し、前記日記情報は時系列に沿って表示され、前記記録指示手段は、画像が撮像された際に撮像された画像の記録を指示可能とし、前記日記記録手段は、前記記録指示手段により画像の記録が指示された際、撮像された画像をリンクとして表示するように、前記日記情報が記憶される場所とは別の場所に記録することを特徴とする。
【発明の効果】
【０００９】
本発明に係る携帯端末によると、入力された文字列や撮像された画像、録音された音声、現在位置情報、登録されているスケジュール情報、または受信されたメール情報等を用いて、ユーザがフォーマットを意識せずに、簡単に日記を作成することが可能となる。
【発明を実施するための最良の形態】
【００１０】
本発明に係る携帯端末の実施形態について、添付図面を参照しながら説明する。図１は、本発明に係る携帯端末（携帯電話機１）が適用されるネットワークシステム２を示すシステム構成図である。図１に示すように、ネットワークシステム２は第１のネットワーク３を備えている。第１のネットワーク３は、例えば携帯電話網であり、携帯電話機１の通信サービス提供エリア内に、固定無線局である基地局４が有線回線を介して複数設置されている。移動無線局である携帯電話機１は、この基地局４に対して例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式と呼ばれる符号分割多元接続方式によって無線接続されていて、この基地局４を介して、他の携帯電話機と音声通話を行ったりデータ通信を行ったりする。
【００１１】
またネットワークシステム２には、ＧＰＳ（Ｇｌｏｂａｌ  Ｐｏｓｉｔｉｏｎｉｎｇ  Ｓｙｓｔｅｍ）放送局５が設置されている。ＧＰＳシステムは、複数の衛星から電波信号を受信機で受信し、受信した電波の時間差によりそれぞれの衛星との相対的な距離差を算出し、その軌跡である双曲面の交点を求める事で現在地情報を求めるシステムである。携帯電話機１はこのＧＰＳ放送局５から、携帯電話機１の現在位置を示す緯度、経度、高度等の情報であるＧＰＳ情報を取得する。
【００１２】
またネットワークシステム２は、第２のネットワーク６を備えている。第２のネットワークは、例えばインターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等のネットワークであり、有線回線を介して第１のネットワーク３に接続されている。第２のネットワーク６には情報管理サーバ７が接続されていて、携帯電話機１は、基地局４、第１のネットワーク３、及び第２のネットワーク６を介して、情報管理サーバ７に対してデータ通信を行う。
【００１３】
図２は、本発明に係る携帯電話機１の機能ブロック図である。携帯電話機１は、図２に示すように、主制御部１０、電源回路部１１、操作入力制御部１２、表示制御部１３、カメラインタフェース１４、音声コーデック１５、変復調回路部１６、記憶部１７、時計部１８、日記管理部１９、及びＧＰＳ受信部２０がバスによって相互に接続されて構成されている。
【００１４】
主制御部１０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する日記作成処理や、その他の様々な演算処理や制御処理等を行う。電源回路部１１は、ユーザによる操作キー２１を介した入力に基づいて電源のオン／オフ状態を切り替え、電源がオン状態の場合に電力供給源（バッテリ等）から各部に対して電力を供給して、携帯電話機１を動作可能にする。
【００１５】
操作入力制御部１２は入力インタフェースを備え、操作キー２１によって入力されたデータを主制御部１０に伝送する。表示制御部１４は表示インタフェースを備え、主制御部１０の制御に基づいて、文書データや画像データ等を液晶ディスプレイ２２に表示する。カメラインタフェース１４は、ＣＣＤカメラ２３により撮像された画像信号を入力する。  また、カメラインタフェース１４は、画像エンコーダ（図示せず）を備えている。画像エンコーダは、主制御部２の制御に基づいて、ＣＣＤカメラ２３が入力した画像信号を、例えばＪＰＥＧ（Ｊｏｉｎｔ  Ｐｈｏｔｏｇｒａｐｈｉｃ  Ｅｘｐｅｒｔｓ  Ｇｒｏｕｐ）やＭＰＥＧ（Ｍｏｖｉｎｇ  Ｐｉｃｔｕｒｅ  Ｅｘｐｅｒｔｓ  Ｇｒｏｕｐ）４などの所定の符号化方式によって圧縮符号化して画像信号を作成したり、符号化された画像信号を他の符号化方式に変換して新たな画像信号を作成したりする。
【００１６】
また、カメラインタフェース１４は、画像デコーダ（図示せず）を備えている。画像デコーダは、符号化画像信号を所定の符号化方式に対応した復号化方式で復号することにより再生画像信号を生成し、生成された再生画像信号を表示制御部１３に伝送する。表示制御部１３は、この生成画像信号を液晶ディスプレイ２２に出力する。
【００１７】
携帯電話機１は、他の携帯電話機１に対して、例えば基地局４を介して音声通話処理を行う。すなわち音声コーデック１５は、主制御部１０の制御に基づいて、マイクロフォン２４で集音した音声からアナログ音声信号を生成する。変復調回路部１６は、音声通話の際に、音声コーデック１５からアナログ信号を入力すると、この信号をデジタル信号に変換して送受信回路部２６に伝送する。送受信回路部２６はこのデジタル音声信号をアンテナ２７を介して基地局４（第１のネットワーク３）に送信する。変復調回路部１６は、送受信回路部２６がアンテナ２７を介して基地局４（第１のネットワーク３）から受信したデジタル音声信号を、アナログ音声信号に変換する。音声コーデック１５は、音声通話の際に、変復調回路部１６からアナログ音声信号を取得して、スピーカ２５から音声として出力する。
【００１８】
また、携帯電話機１は、情報管理サーバ７または他の携帯電話機に対してデータ通信処理を行う。すなわち携帯電話機１は、電子メールやＷｅｂ閲覧データ、画像データ、映像データ、位置情報等の様々なデータの送受信処理を行う。主制御部１０は、データを受信する際、送受信回路部２６がアンテナ２７を介して基地局４（第１のネットワーク３）や情報管理サーバ７（第２のネットワーク６）から受信した受信信号を変復調回路部１６でスペクトラム逆拡散処理して、データを復元する。このデータは、主制御部１０の指示により、表示制御部１３を介して液晶ディスプレイ２２に表示されたり記憶部１７に記録されたりする。
【００１９】
また主制御部１０は、操作入力部１２を介して入力されたデータや記憶部１７に記憶されたデータを送信する際、変復調回路部１６がデータに対してスペクトラム拡散処理を行い、送受信回路部２６がアンテナ２７を介して基地局４（第１のネットワーク３）に送信したり、基地局４、第１のネットワーク３を介して情報管理サーバ７（第２のネットワーク６）に送信したりする。
【００２０】
記憶部１７は、主制御部１０が行う処理の処理プログラムや処理に必要なデータ等を格納するＲＯＭ（Ｒｅａｄ  Ｏｎｌｙ  Ｍｅｍｏｒｙ）やハードディスク、不揮発性メモリ、主制御部１０が処理を行う際に使用されるデータを一時的に記憶するＲＡＭ（Ｒａｎｄｏｍ  Ａｃｃｅｓｓ  Ｍｅｍｏｒｙ）等からなる。主制御部１０が後述する日記作成処理を行う際の処理プログラムは、例えばＲＯＭに記憶されている。
【００２１】
記憶部１７は、スケジュール情報３０を記憶するためのスケジュール情報記憶部１７ａを備えている。このスケジュール情報３０は、所定日時に所定の処理が行われるように指定するための情報であり、ユーザにより予め入力された情報である。スケジュール情報３０は、図３に示すように、スケジュール内容を識別するためのＩＤ情報３０ａに対して、スケジュールの日時を示す日時情報３０ｂ、スケジュールの日時にアラームを発生させるか否かを示すアラーム情報３０ｃ、スケジュール内容を示す内容情報３０ｄを含んでいる。アラーム情報３０ｃは、例えばアラームを発生させる場合は「ＯＮ」、発生させない場合は「ＯＦＦ」で示されている。
【００２２】
また記憶部１７は、日記情報３１を記憶するための日記情報記憶部１７ｂを備えている。日記情報３１は、図４に示すように、日記内容を識別するためのＩＤ情報３１ａに対して、日時を示す日時情報３１ｂ、日記の種類を示す種類情報３１ｃ、日記の内容を示す内容情報３１ｄが対応付けられた情報である。種類情報３１ａに記される日記の種類は、例えば文字、静止画像（写真）、動画像（ムービー）、位置情報、メール、スケジュール等がある。
【００２３】
時計部１８は、ＲＴＣ（Ｒｅａｌ  Ｔｉｍｅ  Ｃｌｏｃｋ）回路を用いて計時する内蔵時計を備えていて、電源回路部１２から電力を供給されることにより現在時刻を計時している。ＲＴＣ回路は、主電池１２ａが接続されている限り、電源のＯＮ／ＯＦＦ状態に関わらず電源回路部１２から電源供給を受けて動作する計時専用のチップである。時計部１８は、主制御部１０からの指示により、必要に応じて現在時刻情報を伝送する。
【００２４】
記録再生部１９は、外部メモリであるＳＤメモリカードなどに代表されるメモリカードＭ等に対して読み書きを行うためのインタフェースを備えていて、メモリカードＭが電気的に接続されたことを検知すると、主制御部１０の制御に基づいて、このメモリカードＭに対して読み込み処理や書き込み処理を行う。ＧＰＳ受信部２０は、ＧＰＳ放送局５により放送されているＧＰＳ情報を受信するためのアンテナ２０ａを備え、このアンテナ２０ａが受信したＧＰＳ情報を主制御部１０に伝送する。
【００２５】
図５に、携帯電話機１の一例として説明に用いる折り畳み型の携帯電話機について、約１８０度に見開いた状態にて正面から見た外観図を示す。携帯電話機１は、図５に示すように、第１の筐体２８ａと第２の筐体２８ｂとがヒンジ部２８ｃを挟むようにヒンジ結合されており、第１の筐体２８ａ及び第２の筐体２８ｂはヒンジ部２８ｃを介して図５のＸ方向に回転可能に形成されている。
【００２６】
第１の筐体２８ａの中央部には、液晶ディスプレイ２２が設けられている。液晶ディスプレイ２２の下部には、例えば、操作キー２１のうちの所定の操作キーに対して所定の機能が割り当てられていることを示す各種ボタンが表示されている。これらの各種ボタンは、例えば、後述する日記情報３１を記録するための日記ボタン（記録ボタン）４２、日記情報３１を表示するための表示ボタン４３、日記作成機能を終了するための終了ボタン４４等である。
【００２７】
また、第１の筐体２８ａにおいて、液晶ディスプレイ２２の上部にはスピーカ２５が設けられており、これにより、ユーザが音声を聞くことが可能となる。また第２の筐体２８ｂにおいて、操作キー２１の下部にマイクロフォン２４が設けられており、マイクロフォン２４によって通話時のユーザの音声を集音する。
【００２８】
第２の筐体２８ｂには、「０」〜「９」の数字キー、発呼キー、終話・電源キー、クリアキー、及び電子メールキー等の操作キー２１が設けられており、ユーザは操作キー２１を用いて各種指示を入力することができる。また第２の筐体２８ｂには、操作キー２１として上部に十字キーが設けられており、ユーザが十字キーを上下左右方向に操作することにより液晶ディスプレイ２２に表示されているカーソルや表示画面全体を上下左右方向に移動させることができる。
【００２９】
さらに、第１の筐体２２には、十字キーの上部にファンクションキーであるＦ１キー２１ａ、Ｆ２キー２１ｂ、及びＦ３キー２１ｃが設けられており、液晶ディスプレイ２２の下部に表示されている各種ボタン（例えば日記ボタン４２、表示ボタン４３、終了ボタン４４）に対応していて、これらのボタンに対応した種々の機能をもつことが可能であるため、ソフトキーと呼ばれている。ユーザは、これらＦ１キー２１ａ、Ｆ２キー２１ｂ、及びＦ３キー２１ｃを押下することにより、携帯電話機１に対して所定の機能を起動する処理をワンタッチで行うことが可能となる。
【００３０】
携帯電話機１は、入力された文字列や撮像された画像、録音された音声、現在位置情報、登録されているスケジュール情報、または受信されたメール情報等を用いて日記を作成する日記作成処理を行う。携帯電話機１は、ユーザにより文字列が入力されたり画像が撮像されたりした際に、ユーザがこれらの文字列や画像を用いて簡単に日記を作成できるように支援するための日記作成機能を起動することにより日記作成処理を行う。
【００３１】
まず始めに、携帯電話機１が、ユーザにより入力された文字列により日記作成処理を行う際の手順について、図６に示すフローチャートに基づいて説明する。以下、例えば「ステップＳ１０１」を「Ｓ１０１」のように、「ステップ」の語句を省略して説明する。
【００３２】
携帯電話機１は、ユーザにより文字列が入力された場合、ユーザに対して、この入力された文字列を利用して簡単に日記を作成できるように支援する日記作成機能と有する。まず携帯電話機１の主制御部１０は、ユーザにより文字列の入力が指示されたか否かを判断する（Ｓ１０１）。例えばユーザは、携帯電話機１を用いて日記を書く時や簡単なメモをとる時に、文字列入力機能を起動することにより、携帯電話機１に文字列の入力の指示を出す。文字列の入力が指示されていない場合（Ｓ１０１のＮｏ）は、主制御部１０はそのまま待機する。
【００３３】
文字列の入力が指示された場合（Ｓ１０１のＹｅｓ）は、主制御部１０は液晶ディスプレイ２２に、図７（Ａ）に示すような表示画面４０Ａを表示する（Ｓ１０２）。この表示画面４０Ａは、ユーザにより操作キー２１を介して入力された文字列を表示する文字列入力欄４１を備えている。また主制御部１０は日記作成機能を起動して、液晶ディスプレイ２２に、文字列入力欄４１に入力された文字列を日記情報３１として記録するための日記ボタン４２、日記情報３１を表示するための表示ボタン４３、文字列の入力を終了するための終了ボタン４４を表示する（Ｓ１０３）。
【００３４】
ユーザは、操作キー２１を用いて携帯電話機１に文字列を入力し、必要に応じて日記ボタン４２、表示ボタン４３、あるいは終了ボタン４４を選択する。この際、図５に示すように、この日記ボタン４２、表示ボタン４３、終了ボタン４４は、それぞれＦ１キー２１ａ、Ｆ２キー２１ｂ、Ｆ３キー２１ｃに対応していて、ユーザはこれらの操作キー２１ａ、２１ｂ、２１ｃを押下することにより、ワンタッチで日記ボタン４２、表示ボタン４３、終了ボタン４４を選択することができる。
【００３５】
主制御部１０は、日記ボタン４２が選択されたか否かを判断する（Ｓ１０５）。日記ボタン４２が選択された場合、あるいはＦ１キー２１ａが押された場合（Ｓ１０５のＹｅｓ）は、主制御部１０は、時計部１８から現在日時情報を取得する（Ｓ１０７）。そして主制御部１０は、Ｓ１０７にて取得した現在日時情報と文字列入力欄４１に入力された文字列とを日記情報３１として日記情報記憶部１７ｂに記録する（Ｓ１０９）。この際、ＩＤ情報３１ａが主制御部１０により一意に設定されるとともに、日時情報３１ｂにＳ１０７にて取得した現在時刻情報（例えば「６：００」を示す情報）が、内容情報３０ｄに文字列入力欄４１に入力された文字列（例えば「今日は大阪に旅行だよ！楽しみだなぁ！」の文字列）がないよう記録され、種類情報３０ｃに「文字」を示す情報が記録される。
【００３６】
Ｓ１０９にて日記情報３１が記録された場合、または日記ボタン４２が選択されていない場合（Ｓ１０５のＮｏ）は、主制御部１０は、表示ボタン４３が選択されたか否かを判断する（Ｓ１１１）。表示ボタン４３が選択された場合、あるいはＦ２キー２１ｂが押された場合（Ｓ１１１のＹｅｓ）は、主制御部１０は、時計部１８から現在時刻情報を取得する（Ｓ１１２）。また主制御部１０は、日記情報記憶部１７ｂからＳ１１２で取得した現在時刻情報に基づいて、日記情報３１のうちの、日時情報３１ｂが現在の日付を示しているもののみを取得する（Ｓ１１３）。
【００３７】
主制御部１０は、Ｓ１１３にて取得した日記情報３１を表示するための表示画面４０を、液晶ディスプレイ２２に表示する（Ｓ１１５）。表示画面４０は、図７（Ｂ）に示すように、日記情報３１が表示される日記表示欄４５を備えている。日記表示欄４５には、現在の日付に記録された日記情報３１に関して、日時情報３１ｂや内容情報３１ｄが表示されている。例えばＳ１０９にて文字列が記録されたものとすると、図７（Ｂ）に示す日記表示欄４５には、Ｓ１０９にて記録された「６：００」の日時、「今日は大阪に旅行だよ！楽しみだなぁ！」の文字列が表示されている。
【００３８】
Ｓ１１５にて日記情報３１が記録された場合、または表示ボタン４３が選択されていない場合（Ｓ１１１のＮｏ）は、主制御部１０は、終了ボタン４４が選択されたか否かを判断する（Ｓ１１７）。終了ボタン４４が選択されずＦ３キー２１ｃも押されなかった場合（Ｓ１１７のＮｏ）は、Ｓ１０５に戻り、主制御部１０は再びＳ１０５乃至Ｓ１１５の処理を行う。
【００３９】
終了ボタン４４が選択された場合、あるいはＦ３キー２１ｃが押された場合（Ｓ１１７のＹｅｓ）は、主制御部１０は、Ｓ１０９にて文字列入力欄４１に入力された文字列が記録されたか否かを判断する（Ｓ１１９）。入力された文字列が記録された場合（Ｓ１１９のＹｅｓ）は、主制御部１０は日記作成機能を終了する（Ｓ１２７）。
【００４０】
入力された文字列が記録されていない場合（Ｓ１１９のＹｅｓ）は、このまま日記作成機能を終了してしまうと、これらの入力された文字列が記録されずに消えてしまうため、主制御部１０は、液晶ディスプレイ２２に、これらの入力された文字列の記録を行うか否かを入力させるための情報を表示する等して、ユーザに対して入力された文字列の記録を行うか否かの判断を促す（Ｓ１２１）。
【００４１】
主制御部１０は、Ｓ１２１により入力された文字列の記録が指示されたか否かを判断する（Ｓ１２３）。入力された文字列の記録が指示された場合（Ｓ１２３のＹｅｓ）は、主制御部１０は、文字列入力欄４１に入力された文字列を記憶部１７または日記情報記憶部１７ｂに記録して（Ｓ１２５）、日記作成機能を終了する（Ｓ１２７）。この際、日記情報記憶部１７ｂに記録する場合は、Ｓ１０９の処理と同様の手順で行う。また、入力された文字列の記録が指示されなかった場合（Ｓ１２３のＮｏ）は、主制御部１０は入力された文字列を記録せずに日記作成機能を終了する（Ｓ１２７）。
【００４２】
なお、Ｓ１１３において、現在の日付の日記情報３１に限らず、全ての日記情報３１や指定された日数の日記情報３１を取得しても良い。
【００４３】
また、日記ボタン４２が選択されずに表示ボタン４３が押された場合（Ｓ１０５のＮｏ、Ｓ１１１のＹｅｓ）、文字列入力欄４１に入力されている文字列は消去されずにそのまま残っていて、その後に日記ボタン４２が選択された場合に、Ｓ１０７及びＳ１０９の処理が行われる。
【００４４】
このようにして、ユーザが携帯電話機１において文字列を入力した際に、日記作成機能を起動してＦ１キー２１ａ及びＦ２キー２１ｂに対応した日記ボタン４２や表示ボタン４３を表示することにより、ユーザがワンタッチで、入力した文字列を日記情報記憶部１７ｂに記録することができる。
【００４５】
次に、携帯電話機１は、ユーザにより写真やムービー等の画像が撮像された場合、ユーザに対して、この撮像された画像を利用して簡単に日記を作成できるように支援する日記作成機能と有する。携帯電話機１が、撮像された画像により日記作成処理を行う際の手順について、図８に示すフローチャートに基づいて説明する。
【００４６】
まず携帯電話機１の主制御部１０は、ユーザにより画像が撮像されたか否かを判断する（Ｓ２０１）。画像が撮像されていない場合（Ｓ２０１のＮｏ）は、主制御部１０はそのまま待機する。
【００４７】
画像が撮像された場合（Ｓ２０１のＹｅｓ）は、主制御部１０は液晶ディスプレイ２２に、図９（Ａ）に示すような表示画面４０Ｂを表示する（Ｓ２０２）。この表示画面４０Ｂは、ＣＣＤカメラ２３により撮像された画像を表示する画像表示欄４６を備えている。また主制御部１０は日記作成機能を起動して、液晶ディスプレイ２２に、画像表示欄４６に表示された画像を日記情報３１として記録するための日記ボタン４２、日記情報３１を表示するための表示ボタン４３、文字列の入力を終了するための終了ボタン４４を表示する（Ｓ２０３）。
【００４８】
日記作成機能が起動されると、ユーザは、操作キー２１を介して日記ボタン４２、表示ボタン４３、あるいは終了ボタン４４を選択する。この際、図５に示すように、この日記ボタン４２、表示ボタン４３、終了ボタン４４は、それぞれＦ１キー２１ａ、Ｆ２キー２１ｂ、Ｆ３キー２１ｃに対応していて、ユーザはこれらの操作キー２１ａ、２１ｂ、２１ｃを押下することにより、ワンタッチで日記ボタン４２、表示ボタン４３、終了ボタン４４を選択することができる。
【００４９】
主制御部１０は、日記ボタン４２が選択されたか否かを判断する（Ｓ２０５）。日記ボタン４２が選択された場合、あるいはＦ１キー２１ａが押された場合（Ｓ２０５のＹｅｓ）は、主制御部１０は、時計部１８から現在日時情報を取得する（Ｓ２０７）。そして主制御部１０は、Ｓ２０７にて取得した現在日時情報と画像表示欄４６に表示された画像（Ｓ２０１にて撮像された画像）とを日記情報３１として日記情報記憶部１７ｂに記録する（Ｓ２０９）。この際、ＩＤ情報３１ａが主制御部１０により一意に設定されるとともに、日時情報３１ｂにＳ２０７にて取得した現在時刻情報（例えば「６：３０」を示す情報）が、内容情報３０ｄに画像表示欄４６に表示された画像が記録されるとともに、Ｓ２０１にて撮像された画像が静止画である場合には種類情報３０ｃに「写真」を示す情報が、Ｓ２０１にて撮像された画像が動画像である場合は種類情報３０ｃに「ムービー」を示す情報が記録される。
【００５０】
Ｓ２０９にて日記情報３１が記録された場合、または日記ボタン４２が選択されていない場合（Ｓ２０５のＮｏ）は、主制御部１０は、表示ボタン４３が選択されたか否かを判断する（Ｓ２１１）。表示ボタン４３が選択された場合、あるいはＦ２キー２１ｂが押された場合（Ｓ２１１のＹｅｓ）は、主制御部１０は、時計部１８から現在時刻情報を取得する（Ｓ２１２）。また主制御部１０は、日記情報記憶部１７ｂからＳ２１２で取得した現在時刻情報に基づいて、日記情報３１のうちの、日時情報３１ｂが現在の日付を示しているもののみを取得する（Ｓ２１３）。
【００５１】
主制御部１０は、Ｓ２１３にて取得した日記情報３１を表示するための表示画面４０を、液晶ディスプレイ２２に表示する（Ｓ２１５）。表示画面４０は、図９（Ｂ）に示すように、日記情報３１が表示される日記表示欄４５を備えている。日記表示欄４５には、例えば、現在の日付に記録された日記情報３１に関して、日時情報３１ｂや内容情報３１ｄが表示されている。例えばＳ２０９にて画像が記録されたものとすると、図９（Ｂ）に示す日記表示欄４５には、図７（Ｂ）に示す日記表示欄４５に表示されている情報に加えて、Ｓ２０９にて記録された「６：３０」の日時、画像が追加されて表示されている。
【００５２】
Ｓ２１５にて日記情報３１が表示された場合、または表示ボタン４３が選択されていない場合（Ｓ２１１のＮｏ）は、主制御部１０は、終了ボタン４４が選択されたか否かを判断する（Ｓ２１７）。終了ボタン４４が選択されずＦ３キー２１ｃも押されなかった場合（Ｓ２１７のＮｏ）は、Ｓ２０５に戻り、主制御部１０は再びＳ２０５乃至Ｓ２１５の処理を行う。
【００５３】
終了ボタン４４が選択された場合、あるいはＦ３キー２１ｃが押された場合（Ｓ２１７のＹｅｓ）は、主制御部１０は、Ｓ２０１にて撮像された画像がＳ２０９にて日記情報記憶部１７ｂに記録されたか否かを判断する（Ｓ２１９）。撮像された画像が記録された場合（Ｓ２１９のＹｅｓ）は、主制御部１０は日記作成機能を終了する（Ｓ２２７）。
【００５４】
撮像された画像が記録されていない場合（Ｓ２１９のＹｅｓ）は、このまま日記作成機能を終了してしまうと、撮像された画像が記録されずに消えてしまうため、主制御部１０は、液晶ディスプレイ２２に、これらの撮像された画像の記録を行うか否かを入力させるための情報を表示する等して、ユーザに対して撮像された文字列の記録を行うか否かの判断を促す（Ｓ２２１）。
【００５５】
主制御部１０は、Ｓ２２１により撮像された画像の記録が指示されたか否かを判断する（Ｓ２２３）。撮像された画像の記録が指示された場合（Ｓ２２３のＹｅｓ）は、主制御部１０は、画像表氏欄４６に表示されている画像を記憶部１７または日記情報記憶部１７ｂに記録して（Ｓ２２５）、日記作成機能を終了する（Ｓ２２７）。この際、日記情報記憶部１７ｂに記録する場合は、Ｓ２０９の処理と同様の手順で行う。また、撮像された画像の記録が指示されなかった場合（Ｓ２２３のＮｏ）は、主制御部１０は撮像された画像を記録せずに日記作成機能を終了する（Ｓ２２７）。
【００５６】
なお、日記ボタン４２が選択されずに表示ボタン４３が押された場合（Ｓ２０５のＮｏ、Ｓ２１１のＹｅｓ）、文字列入力欄４１に入力されている文字列は消去されずにそのまま残っていて、その後に日記ボタン４２が選択された場合に、Ｓ２０７及びＳ２０９の処理が行われる。
【００５７】
またＳ２０９にて、撮像された画像と現在時刻とを対応付けて記録しているが、これに限らず、撮像された画像と撮像された時刻とを対応付けて記録しても良い。
【００５８】
このようにして、ユーザが携帯電話機１において静止画や動画等の画像を撮像した際に、日記作成機能を起動してＦ１キー２１ａ及びＦ２キー２１ｂに対応した日記ボタン４２や表示ボタン４３を表示することにより、ユーザがワンタッチで、撮像された画像を日記情報記憶部１７ｂに記録することができる。
【００５９】
次に、携帯電話機１は、ユーザにより操作キー２１を介して位置情報の取得が指示された場合、ユーザに対して、取得した位置情報を利用して簡単に日記を作成できるように支援する日記作成機能と有する。携帯電話機１が、取得した位置情報により日記作成処理を行う際の手順について、図１０に示すフローチャートに基づいて説明する。
【００６０】
まず携帯電話機１の主制御部１０は、ユーザにより位置情報の取得が指示されたか否かを判断する（Ｓ３０１）。位置情報の取得が指示されていない場合（Ｓ３０１のＮｏ）は、主制御部１０はそのまま待機する。位置情報の取得が指示された場合（Ｓ３０１のＹｅｓ）は、主制御部１０は、アンテナ２７を介して、基地局４により放送されている電波に含まれる位置情報を受信する（Ｓ３０３）。この際、ＧＰＳ放送局５により放送されているＧＰＳ情報をＧＰＳ受信部２０が受信し、このＧＰＳ情報を位置情報としても良い。
【００６１】
主制御部１０は、液晶ディスプレイ２２に、図１１に示すような表示画面４０Ｃを表示する（Ｓ３０５）。この表示画面４０Ｃは、受信した位置情報を表示する位置情報表示欄４７を備えている。また主制御部１０は日記作成機能を起動して、液晶ディスプレイ２２に、位置情報表示欄４７に表示された位置情報を日記情報３１として記録するための日記ボタン４２、日記情報３１を表示するための表示ボタン４３、位置情報の表示や記録を終了するための終了ボタン４４を表示する（Ｓ３０７）。
【００６２】
日記作成機能が起動されると、ユーザは、操作キー２１を介して日記ボタン４２、表示ボタン４３、あるいは終了ボタン４４を選択する。この際、図５に示すように、この日記ボタン４２、表示ボタン４３、終了ボタン４４は、それぞれＦ１キー２１ａ、Ｆ２キー２１ｂ、Ｆ３キー２１ｃに対応していて、ユーザはこれらの操作キー２１ａ、２１ｂ、２１ｃを押下することにより、ワンタッチで日記ボタン４２、表示ボタン４３、終了ボタン４４を選択することができる。
【００６３】
主制御部１０は、日記ボタン４２が選択されたか否かを判断する（Ｓ３０９）。日記ボタン４２が選択された場合、あるいはＦ１キー２１ａが押された場合（Ｓ３０９のＹｅｓ）は、主制御部１０は、Ｓ３０３にて受信した位置情報に基づいて情報管理サーバ７から地名情報を取得する地名情報取得処理を行う（Ｓ３１１）。このＳ３１１にて行われる地名情報取得処理の手順について、図１２に示すフローチャートに基づいて説明する。
【００６４】
まず主制御部１０は、Ｓ３０３にて受信した位置情報（例えば「東京」を示す情報）をアンテナ２７を介して情報管理サーバ７に送信する（Ｓ４０１）。情報管理サーバ７は、位置情報やＧＰＳ情報に対して複数の地名情報を関連付けて記憶しており、携帯電話機１から位置情報やＧＰＳ情報を受信すると、これらの受信した情報に関連付けられた地名情報を抽出して、これらの地名情報を地名候補として携帯電話機１に対して送信する。ここでは、情報管理サーバ７において、「東京」を示す位置情報に対して「東京駅」、「東京駅構内」、「丸の内」、「丸ビル」、「大手町」、「千代田町」等の地名情報が関連付けられているものとする。
【００６５】
主制御部１０は、情報管理サーバ７から地名候補を受信したか否かを判断する（Ｓ４０３）。地名候補を受信していない場合（Ｓ４０３のＮｏ）は、主制御部１０は地名候補を受信するまで待機する。地名候補を受信した場合（Ｓ４０３のＹｅｓ）は、主制御部１０は、液晶ディスプレイ２２に、図１３（Ａ）に示すような表示画面４０Ｄを表示する（Ｓ４０５）。この表示画面４０Ｄは、受信した地名候補を表示する地名候補表示欄４８を備えている。地名候補表示欄４８には、情報管理サーバ７から受信した地名候補である複数の地名情報（例えば「東京駅」、「東京駅構内」、「丸の内」、「丸ビル」、「大手町」、「千代田町」等の地名情報）のうちのいずれかが、操作キー２１により選択可能なように表示されている。
【００６６】
主制御部１０は、ユーザにより操作キー２１を介して地名候補が選択されたか否かを判断する（Ｓ４０７）。地名候補が選択されていない場合（Ｓ４０７のＮｏ）は、主制御部１０は地名候補が選択されるまで待機する。地名候補が選択された場合（Ｓ４０７のＹｅｓ）、主制御部１０は、選択された地名候補（例えば「東京駅」）を日記情報３１として記録する地名情報とする（Ｓ４０９）。
【００６７】
主制御部１０は、時計部１８から現在日時情報を取得する（Ｓ３１３）。そして主制御部１０は、Ｓ３１３にて取得した現在日時情報とＳ３１１にて取得された地名情報とを日記情報３１として日記情報記憶部１７ｂに記録する（Ｓ３１５）。この際、ＩＤ情報３１ａが主制御部１０により一意に設定されるとともに、日時情報３１ｂにＳ３１３にて取得した現在時刻情報（例えば「７：００」を示す情報）が、内容情報３０ｄにＳ３１１にて取得された地名情報（例えば「東京駅」）が記録されるとともに、種類情報３０ｃに「位置」を示す情報が記録される。
【００６８】
Ｓ３１５にて日記情報３１が記録された場合、または日記ボタン４２が選択されていない場合（Ｓ３１１のＮｏ）は、主制御部１０は、表示ボタン４３が選択されたか否かを判断する（Ｓ３１７）。表示ボタン４３が選択された場合、あるいはＦ２キー２１ｂが押された場合（Ｓ３１７のＹｅｓ）は、主制御部１０は、時計部１８から現在時刻情報を取得する（Ｓ３１８）。また主制御部１０は、日記情報記憶部１７ｂからＳ３１８で取得した現在時刻情報に基づいて、日記情報３１のうちの、日時情報３１ｂが現在の日付を示しているもののみを取得する（Ｓ３１９）。
【００６９】
主制御部１０は、Ｓ３１９にて取得した日記情報３１を表示するための表示画面４０を、液晶ディスプレイ２２に表示する（Ｓ３２１）。表示画面４０は、図１３（Ｂ）に示すように、日記情報３１が表示される日記表示欄４５を備えている。日記表示欄４５には、例えば、現在の日付に記録された日記情報３１に関して、日時情報３１ｂや内容情報３１ｄが表示されている。例えばＳ３１５にて地名情報が記録されたものとすると、図１３（Ｂ）に示す日記表示欄４５には、図９（Ｂ）にて日記表示欄４５に表示されていた情報に加えて、Ｓ３１５にて記録された「７：００」の日時、「東京駅」を示す地名情報が追加されて表示されている。
【００７０】
Ｓ３２１にて日記情報３１が表示された場合、または表示ボタン４３が選択されていない場合（Ｓ３１７のＮｏ）は、主制御部１０は、終了ボタン４４が選択されたか否かを判断する（Ｓ３２３）。終了ボタン４４が選択されずＦ３キー２１ｃも押されなかった場合（Ｓ３２３のＮｏ）は、Ｓ３１１に戻り、主制御部１０は再びＳ３１１乃至Ｓ３２１の処理を行う。終了ボタン４４が選択された場合、あるいはＦ３キー２１ｃが押された場合（Ｓ３２３のＹｅｓ）は、主制御部１０は日記作成機能を終了する（Ｓ３２５）。
【００７１】
このようにして、ユーザが携帯電話機１において位置情報の取得を指示した際に、情報管理サーバ７からこの位置情報に対応した地名情報を取得するとともに、日記作成機能を起動してＦ１キー２１ａ及びＦ２キー２１ｂに対応した日記ボタン４２や表示ボタン４３を表示することにより、ユーザがワンタッチで、現在位置を示す地名情報を日記情報記憶部１７ｂに記録することができる。
【００７２】
次に、携帯電話機１は、メールを受信した場合、この受信したメール情報を利用して簡単に日記を作成できるように支援する日記作成機能と有する。携帯電話機１が、受信したメール情報により日記作成処理を行う際の手順について、図１４に示すフローチャートに基づいて説明する。
【００７３】
まず携帯電話機１の主制御部１０は、メールを受信したか否かを判断する（Ｓ５０１）。メールを受信していない場合（Ｓ５０１のＮｏ）は、主制御部１０はそのまま待機する。メールを受信した場合（Ｓ５０１のＹｅｓ）は、主制御部１０は、液晶ディスプレイ２２に、図１５（Ａ）に示すような表示画面４０Ｅを表示する（Ｓ５０３）。この表示画面４０Ｅは、受信したメール情報を表示するメール情報表示欄４９を備えている。
【００７４】
また主制御部１０は日記作成機能を起動して、液晶ディスプレイ２２に、メール情報表示欄４９に表示されたメール情報を日記情報３１として記録するための日記ボタン４２、日記情報３１を表示するための表示ボタン４３、メール情報の表示や記録を終了するための終了ボタン４４を表示する（Ｓ５０５）。
【００７５】
日記作成機能が起動されると、ユーザは、操作キー２１を介して日記ボタン４２、表示ボタン４３、あるいは終了ボタン４４を選択する。この際、図５に示すように、この日記ボタン４２、表示ボタン４３、終了ボタン４４は、それぞれＦ１キー２１ａ、Ｆ２キー２１ｂ、Ｆ３キー２１ｃに対応していて、ユーザはこれらの操作キー２１ａ、２１ｂ、２１ｃを押下することにより、ワンタッチで日記ボタン４２、表示ボタン４３、終了ボタン４４を選択することができる。
【００７６】
主制御部１０は、日記ボタン４２が選択されたか否かを判断する（Ｓ５０７）。日記ボタン４２が選択された場合、あるいはＦ１キー２１ａが押された場合（Ｓ５０７のＹｅｓ）は、主制御部１０は、液晶ディスプレイ２２にメール情報を、操作キー２１を用いて部分的に選択できるように表示することにより、日記情報３１として日記情報記憶部１７ｂに記録するメール情報の範囲を選択するようにユーザに対して指示を出す（Ｓ５０９）。この指示を受けたユーザは、例えば図１５（Ｂ）に示すように、操作キー２１を介して、メール情報表示欄４９に表示されているメール情報において所定の範囲（例えば「送信元  山田太郎  今日は・・・期待しています。」の文字列）を選択する。
【００７７】
主制御部１０は、ユーザにより日記情報３１として記録する部分が選択されたか否かを判断する（Ｓ５１１）。日記情報３１として記録する部分が選択されていない場合（Ｓ５１１のＮｏ）は、主制御部１０は選択されるまで待機する。日記情報３１として記録する部分が選択された場合（Ｓ５１１のＹｅｓ）は、主制御部１０は、Ｓ５０１にて受信したメール情報を日記情報３１として日記情報記憶部１７ｂに記録する（Ｓ５１３）。この際、ＩＤ情報３１ａが主制御部１０により一意に設定されるとともに、日時情報３１ｂにＳ５０１にてメールを受信した時刻（例えば「１１：３５」を示す情報）が、内容情報３０ｄにＳ５０１にて受信したメール情報のうちのＳ５１１にて選択された範囲（例えば「送信元  山田太郎  今日は・・・期待しています。」）が記録されるとともに、種類情報３０ｃに「メール」を示す情報が記録される。この際、日時情報３１ｂとして、時計部１８から取得した現在日時情報を記録しても良い。
【００７８】
Ｓ５１３にて日記情報３１が記録された場合、または日記ボタン４２が選択されていない場合（Ｓ５０７のＮｏ）は、主制御部１０は、表示ボタン４３が選択されたか否かを判断する（Ｓ５１５）。表示ボタン４３が選択された場合、あるいはＦ２キー２１ｂが押された場合（Ｓ５１５のＹｅｓ）は、主制御部１０は、時計部１８から現在時刻情報を取得する（Ｓ５１６）。また主制御部１０は、日記情報記憶部１７ｂからＳ５１６にて取得した現在時刻情報に基づいて、日記情報３１のうちの、日時情報３１ｂが現在の日付を示しているもののみを取得する（Ｓ５１７）。
【００７９】
主制御部１０は、Ｓ５１７にて取得した日記情報３１を表示するための表示画面４０を、液晶ディスプレイ２２に表示する（Ｓ５１９）。表示画面４０は、図１５（Ｃ）に示すように、日記情報３１が表示される日記表示欄４５を備えている。日記表示欄４５には、例えば、現在の日付に記録された日記情報３１に関して、日時情報３１ｂや内容情報３１ｄが表示されている。例えばＳ３１５にてメール情報が記録されたものとすると、図１５（Ｃ）に示す日記表示欄４５には、図１３（Ｂ）にて日記表示欄４５に表示されていた情報に加えて、Ｓ５１３にて記録された「１１：３５」の日時、「送信元  山田太郎  今日は・・・期待しています。」を示すメール情報が追加されて表示されている。なお、日記情報３１は時系列に沿って表示される。
【００８０】
Ｓ５１９にて日記情報３１が表示された場合、または表示ボタン４３が選択されていない場合（Ｓ５１５のＮｏ）は、主制御部１０は、終了ボタン４４が選択されたか否かを判断する（Ｓ５２１）。終了ボタン４４が選択されずＦ３キー２１ｃも押されなかった場合（Ｓ５２１のＮｏ）は、Ｓ５０７に戻り、主制御部１０は再びＳ５０７乃至Ｓ５１９の処理を行う。終了ボタン４４が選択された場合、あるいはＦ３キー２１ｃが押された場合（Ｓ５２１のＹｅｓ）は、主制御部１０は日記作成機能を終了する（Ｓ５２３）。
【００８１】
このようにして、携帯電話機１においてメールを受信した際に、日記作成機能を起動してＦ１キー２１ａ及びＦ２キー２１ｂに対応した日記ボタン４２や表示ボタン４３を表示することにより、ユーザがワンタッチで、受信したメール情報を日記情報記憶部１７ｂに記録することができる。
【００８２】
次に、携帯電話機１は、ユーザによりスケジュール情報３０の表示が指示された場合、このスケジュール情報３０を利用して簡単に日記を作成できるように支援する日記作成機能と有する。携帯電話機１が、スケジュール情報３０により日記作成処理を行う際の手順について、図１６に示すフローチャートに基づいて説明する。
【００８３】
まず携帯電話機１の主制御部１０は、ユーザによりスケジュール情報３０の表示が指示されたか否かを判断する（Ｓ６０１）。スケジュール情報３０の表示が指示されていない場合（Ｓ６０１のＮｏ）は、主制御部１０はそのまま待機する。スケジュール情報３０の表示が指示された場合（Ｓ６０１のＹｅｓ）は、主制御部１０は、スケジュール情報記憶部１７ａからスケジュール情報３０を取得し、液晶ディスプレイ２２に、図１７（Ａ）に示すような表示画面４０Ｆを表示する（Ｓ６０３）。この表示画面４０Ｆは、スケジュール情報３０を表示するスケジュール情報表示欄５０を備えている。
【００８４】
また主制御部１０は日記作成機能を起動して、液晶ディスプレイ２２に、スケジュール情報表示欄４９に表示されたスケジュール情報３０を日記情報３１として記録するための日記ボタン４２、日記情報３１を表示するための表示ボタン４３、スケジュール情報３０の表示や記録を終了するための終了ボタン４４を表示する（Ｓ６０５）。
【００８５】
日記作成機能が起動されると、ユーザは、操作キー２１を介して日記ボタン４２、表示ボタン４３、あるいは終了ボタン４４を選択する。この際、図５に示すように、この日記ボタン４２、表示ボタン４３、終了ボタン４４は、それぞれＦ１キー２１ａ、Ｆ２キー２１ｂ、Ｆ３キー２１ｃに対応していて、ユーザはこれらの操作キー２１ａ、２１ｂ、２１ｃを押下することにより、ワンタッチで日記ボタン４２、表示ボタン４３、終了ボタン４４を選択することができる。
【００８６】
主制御部１０は、日記ボタン４２が選択されたか否かを判断する（Ｓ６０７）。日記ボタン４２が選択された場合、あるいはＦ１キー２１ａが押された場合（Ｓ６０７のＹｅｓ）は、主制御部１０は、液晶ディスプレイ２２にスケジュール情報３０を、操作キー２１を用いてスケジュール毎に選択できるように表示することにより、日記情報３１として日記情報記憶部１７ｂに記録するスケジュールを選択するようにユーザに対して指示を出す（Ｓ６０９）。この指示を受けたユーザは、例えば図１７（Ｂ）に示すように、操作キー２１を用いて、スケジュール情報表示欄５０に表示されているスケジュール情報３０において所定のスケジュール（例えば「８：００  こだま８号東京発」、「１１：００  こだま８号新大阪着」、「１３：３０  Ａ氏と合流」のスケジュール）を選択する。
【００８７】
主制御部１０は、ユーザにより日記情報３１として記録するスケジュールが選択されたか否かを判断する（Ｓ６１１）。スケジュールが選択されていない場合（Ｓ６１１のＮｏ）は、主制御部１０は選択されるまで待機する。スケジュールが選択された場合（Ｓ６１１のＹｅｓ）は、主制御部１０は、Ｓ６１１にて選択されたスケジュールを日記情報３１として日記情報記憶部１７ｂに記録する（Ｓ６１３）。この際、選択された各々のスケジュールに対してＩＤ情報３１ａが主制御部１０により一意に設定されるとともに、日時情報３１ｂにスケジュール情報３０の日時情報３０ｂ（例えば「８：００」を示す情報）が、内容情報３０ｄにスケジュール情報３０の内容情報３０ｄ（例えば「こだま８号東京発」）が記録されるとともに、種類情報３０ｃに「スケジュール」を示す情報が記録される。
【００８８】
Ｓ６１３にて日記情報３１が記録された場合、または日記ボタン４２が選択されていない場合（Ｓ６０７のＮｏ）は、主制御部１０は、表示ボタン４３が選択されたか否かを判断する（Ｓ６１５）。表示ボタン４３が選択された場合、あるいはＦ２キー２１ｂが押された場合（Ｓ６１５のＹｅｓ）は、主制御部１０は、時計部１８から現在時刻情報を取得する（Ｓ６１６）。また主制御部１０は、日記情報記憶部１７ｂからＳ６１６にて取得した現在時刻情報に基づいて、日記情報３１のうちの、日時情報３１ｂが現在の日付を示しているもののみを取得する（Ｓ６１７）。
【００８９】
主制御部１０は、Ｓ６１７にて取得した日記情報３１を表示するための表示画面４０を、液晶ディスプレイ２２に表示する（Ｓ６１９）。表示画面４０は、図１７（Ｃ）に示すように、日記情報３１が表示される日記表示欄４５を備えている。日記表示欄４５には、例えば、現在の日付に記録された日記情報３１に関して、日時情報３１ｂや内容情報３１ｄが表示されている。例えばＳ６１３にてスケジュール情報が記録されたものとすると、図１７（Ｃ）に示す日記表示欄４５には、図１５（Ｃ）にて日記表示欄４５に表示されていた情報に加えて、Ｓ６１３にて記録された「８：００」の日時、「こだま８号東京発」を示すメール情報等が追加されて表示されている。なお、日記情報３１は時系列に沿って表示される。
【００９０】
Ｓ６１９にて日記情報３１が表示された場合、または表示ボタン４３が選択されていない場合（Ｓ６１５のＮｏ）は、主制御部１０は、終了ボタン４４が選択されたか否かを判断する（Ｓ６２１）。終了ボタン４４が選択されずＦ３キー２１ｃも押されなかった場合（Ｓ６２１のＮｏ）は、Ｓ６０７に戻り、主制御部１０は再びＳ６０７乃至Ｓ６１９の処理を行う。終了ボタン４４が選択された場合、あるいはＦ３キー２１ｃが押された場合（Ｓ６２１のＹｅｓ）は、主制御部１０は日記作成機能を終了する（Ｓ６２３）。
【００９１】
このようにして、ユーザが携帯電話機１においてスケジュール情報の表示を指示した際に、日記作成機能を起動してＦ１キー２１ａ及びＦ２キー２１ｂに対応した日記ボタン４２や表示ボタン４３を表示することにより、ユーザがワンタッチで、スケジュール情報を日記情報記憶部１７ｂに記録することができる。
【００９２】
なお、日記情報３１として記録される情報は、実施形態として上記に説明した情報に限定されるものではなく、例えば現在日時、現在位置の天気やニュースを所定のサーバから基地局４を介して受信して、日記情報３１として記録しても良い。
【００９３】
また、日記情報３１として記録される情報は撮像された写真やムービー等の画像に限らず、録音された音声でも良い。この場合、撮像された画像情報や録音された音声情報を記録する際に、日記情報記憶部１７ｂとは別の場所に記録しておき、日記情報３１として表示する時にリンクさせるようにしても良い。さらに、撮像された画像情報を圧縮して日記情報記憶部１７ｂに記録しておき、日記情報３１として表示する時にこの圧縮された画像情報を表示しても良い。
【００９４】
また、基地局４やＧＰＳ放送局５から受信した位置情報は、単独の日記情報３１として記録されるのみでなく、入力された文字列や撮像された画像が日記情報３１として記録される際に併せて記録されるようにしても良い。
【００９５】
また実施形態として、日記作成機能を実現するための日記ボタン４２や表示ボタン４３にソフトキー（Ｆ１キー２１ａやＦ２キー２１ｂ）を対応させる例について説明したが、これに限らず、これらの機能を操作キー２１に固定させるようにしても良い。
【００９６】
また実施形態として、日記情報３１が携帯電話機１の記憶部１７に記録される例について説明したが、ＳＤメモリカードに代表されるメモリカードＭ等の任意の外部メモリに記録されるようにしても良い。このようにすれば、ＳＤメモリカードが大容量の日記帳となり、記憶部１７の容量を気にしなくて良い。携帯電話機１とＰＣとを赤外線通信やＢｌｕｅｔｏｏｔｈ等で結んで日記情報３１をＰＣ（Ｐｅｒｓｏｎａｌ  Ｃｏｍｐｕｔｅｒ）に伝送しても良い。日記情報３１をＰＣに伝送してＰＣを用いて日記情報３１を編集すると便利である。さらに、外部メモリを用いたり赤外線通信やＢｌｕｅｔｏｏｔｈ等の通信を行ったりすることにより、日記情報３１を携帯プリンタ等でプリントアウトして、紙の日記帳に貼り付ける使い方もできる。
【００９７】
また、日記ボタンの操作方法や手順も任意であり、例えば文字情報を入力してから操作してもいいし、文字入力する前に操作してもいいし、文字入力の途中で操作してもいい。さらには、一旦記録された日記情報の編集の仕方についても、任意であり、記録される時刻情報も時のみとしたり、ＡＭ、ＰＭといったラフな分類にするなど選択が可能である。
【００９８】
本発明に係る携帯端末（携帯電話機１）によると、入力された文字列や撮像された画像、現在位置情報や登録されているスケジュール情報、または受信したメール情報等を用いた処理を行う際に、これらの情報を日記情報３１として記録するための日記ボタン４２を表示することにより、ユーザが簡単に日記を作成することが可能となる。
【００９９】
また、本発明に係る携帯端末（携帯電話機１）によると、入力された文字列や撮像された画像、現在位置情報や登録されているスケジュール情報、または受信したメール情報等を用いた処理を行う際に、日記情報３１を表示するための表示ボタン４３を表示することにより、ユーザが簡単に日記情報３１を表示させることが可能となる。
【０１００】
また、本発明に係る携帯端末（携帯電話機１）によると、入力された文字列や撮像された画像、現在位置情報や登録されているスケジュール情報、または受信したメール情報等を、必ず時刻と併せて記録することにより、その時々で作成された様々な種類の日記情報３１を時系列に沿って管理することが可能となる。これにより、ユーザは日記のフォーマットを意識せずに、簡単に日記情報３１を記録することが可能となる。
【０１０１】
また、本発明に係る携帯端末（携帯電話機１）によると、日記作成機能を実現するための日記ボタン４２や表示ボタン４３にソフトキー（Ｆ１キー２１ａやＦ２キー２１ｂ）を対応させることにより、あるいはこれらの機能が固定された操作キー２１を用意することにより、ユーザがワンタッチで日記を作成したり日記を表示したりすることが可能となる。
【０１０２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の任意の情報処理端末であっても良い。
【図面の簡単な説明】
【０１０３】
【図１】本発明に係る携帯端末（携帯電話機）が適用されるネットワークシステムのシステム構成図。
【図２】本発明に係る携帯端末（携帯電話機）の機能ブロック図。
【図３】日記情報を示すデータ構成図。
【図４】スケジュール情報を示すデータ構成図。
【図５】本発明に係る携帯端末（携帯電話機）を正面から見た外観図。
【図６】本発明に係る携帯端末（携帯電話機）において入力された文字列を用いて日記作成処理を行う際の手順を示すフローチャート。
【図７】（Ａ）本発明に係る携帯端末（携帯電話機）において入力された文字列を用いて日記作成処理を行う際の表示画面を示す画面図。（Ｂ）本発明に係る携帯端末（携帯電話機）における日記表示画面を示す画面図。
【図８】本発明に係る携帯端末（携帯電話機）において撮像された画像を用いて日記作成処理を行う際の手順を示すフローチャート。
【図９】（Ａ）本発明に係る携帯端末（携帯電話機）において撮像された画像を用いて日記作成処理を行う際の表示画面を示す画面図。（Ｂ）本発明に係る携帯端末（携帯電話機）における日記表示画面を示す画面図。
【図１０】本発明に係る携帯端末（携帯電話機）において位置情報を用いて日記作成処理を行う際の手順を示すフローチャート。
【図１１】本発明に係る携帯端末（携帯電話機）において位置情報を用いて日記作成処理を行う際の表示画面を示す画面図。
【図１２】本発明に係る携帯端末（携帯電話機）において地名情報取得処理を行う際の手順を示すフローチャート。
【図１３】（Ａ）本発明に係る携帯端末（携帯電話機）において位置情報を用いて日記作成処理を行う際の表示画面を示す画面図。（Ｂ）本発明に係る携帯端末（携帯電話機）における日記表示画面を示す画面図。
【図１４】本発明に係る携帯端末（携帯電話機）において受信したメールを用いて日記作成処理を行う際の手順を示すフローチャート。
【図１５】（Ａ）本発明に係る携帯端末（携帯電話機）において受信したメールを表示する際の表示画面を示す画面図。（Ｂ）本発明に係る携帯端末（携帯電話機）において受信したメールを用いて日記作成処理を行う際の表示画面を示す画面図。（Ｃ）本発明に係る携帯端末（携帯電話機）における日記表示画面を示す画面図。
【図１６】本発明に係る携帯端末（携帯電話機）においてスケジュール情報を用いて日記作成処理を行う際の手順を示すフローチャート。
【図１７】（Ａ）本発明に係る携帯端末（携帯電話機）においてスケジュール情報を表示する際の表示画面を示す画面図。（Ｂ）本発明に係る携帯端末（携帯電話機）においてスケジュール情報を用いて日記作成処理を行う際の表示画面を示す画面図。（Ｃ）本発明に係る携帯端末（携帯電話機）における日記表示画面を示す画面図。
【符号の説明】
【０１０４】
１…携帯電話機，２…ネットワークシステム，３…第１のネットワーク，４…基地局，５…ＧＰＳ放送局，６…第２のネットワーク，７…情報管理サーバ，１０…主制御部１０…電源回路部，１２…操作入力制御部，１３…表示制御部，１４…カメラインタフェース，１５…音声コーデック，１６…変復調回路部，１７…記憶部，１７ａ…スケジュール情報記憶部，１７ｂ…日記情報記憶部，１８…時計部，１９…記録再生部，２０…ＧＰＳ受信部，２０ａ…アンテナ，２１…操作キー，２１ａ…Ｆ１キー，２１ｂ…Ｆ２キー，２１ｃ…Ｆ３キー，２２…液晶ディスプレイ，２３…ＣＣＤカメラ，２４…マイクロフォン，２５…スピーカ，２６…送受信回路部，２７…アンテナ，２８ａ…第１の筐体，２８ｂ…第２の筐体，２８ｃ…ヒンジ部，３０…スケジュール情報，３１…日記情報，４０、４０Ａ乃至４０Ｆ…表示画面，４１…文字列入力欄，４２…日記ボタン，４３…表示ボタン，４４…終了ボタン，４５…文字列表示欄，４６…画像表示欄，４７…位置情報表示欄，４８…地名情報表示欄，４９…メール情報表示欄，５０…スケジュール情報表示欄，Ｍ…メモリカード。
【図１】
0004985266.tif 000002
【図２】
0004985266.tif 000003
【図３】
0004985266.tif 000004
【図４】
0004985266.tif 000005
【図５】
0004985266.tif 000006
【図６】
0004985266.tif 000007
【図７】
0004985266.tif 000008
【図８】
0004985266.tif 000009
【図９】
0004985266.tif 000010
【図１０】
0004985266.tif 000011
【図１１】
0004985266.tif 000012
【図１２】
0004985266.tif 000013
【図１３】
0004985266.tif 000014
【図１４】
0004985266.tif 000015
【図１５】
0004985266.tif 000016
【図１６】
0004985266.tif 000017
【図１７】
0004985266.tif 000018